(57)【要約】      （修正有）【課題】既設の棚にも容易に取り付けることができ、書籍等の物品の棚からの落下を効果的に防止することができる飛び出し防止具を提供する。【解決手段】物品を載置する棚板上面２ａに棚板２の前端縁２ｂに沿って取り付ける長尺物であって、該長尺物の、棚の奥側に面する側壁面１ａと棚板上面２ａに当接する底面が平面であり、２つの面のなす角が直角であるとともに、側壁面１ａの高さが、７〜１０ｍｍであることを特徴とする物品飛び出し防止具。【選択図】図１
0003177231.tif 000002
【実用新案登録請求の範囲】
【請求項１】
物品を載置する棚板上面に棚板の前端縁に沿って取り付ける長尺物であって、該長尺物の、棚の奥側に面する側壁面と棚板上面に当接する底面が平面であることを特徴とする物品飛び出し防止具。
【請求項２】
側壁面が、底面に対して直角であることを特徴とする請求項１記載の物品飛び出し防止具。
【請求項３】
側壁面の高さが、７〜１０ｍｍであることを特徴とする請求項１又は２記載の物品飛び出し防止具。
【請求項４】
長手方向に対する垂直断面が、直角三角形状又はＬ字形状であることを特徴とする請求項２又は３記載の物品飛び出し防止具。
【請求項５】
片面を剥離紙で覆った両面テープを底面に貼着したことを特徴とする請求項１乃至４のいずれかに記載の物品飛び出し防止具。
【請求項６】
材質が、オレフィン系樹脂、エステル系樹脂、アクリル系樹脂、アミド系樹脂、ウレタン系樹脂、フッ素系樹脂、スチレン系樹脂、カーボネート系樹脂及び塩化ビニル系樹脂よりなる群から選ばれる合成樹脂、金属、木材、又は紙であることを特徴とする請求項１乃至５のいずれかに記載の物品飛び出し防止具。
【考案の詳細な説明】
【技術分野】
【０００１】
本考案は、物品を載置する棚板上面に棚板の前端縁に沿って取り付け、棚からの物品の飛び出しを防止するための物品飛び出し防止具に関する。
【背景技術】
【０００２】
棚板に載置した書籍等の物品は、地震等の災害時において本棚が振動あるいは揺動すると、棚の前面開放部から飛び出し、人に当たるなどして身体に危険を及ぼしたり、ガラス戸が破損するなどして避難経路を遮る恐れがある。
【０００３】
一方、棚からの物品の飛び出しを防止するためには、棚の前面開放部に落下防止バーを備える必要があるが、このような落下防止バーを備えると物品の出し入れが困難となり、使い勝手に支障をきたすこととなる。
【０００４】
このため、棚からの物品の落下を防止するために棚の前面に開放部を封鎖する落下防止棒を備えるが、物品を出し入れする際には、落下防止バーを移動して開放部の封鎖を容易に解除する機構(特許文献１)や、通常は棚の前面は開放されているが、地震などの揺れが発生した際に係止が解除し、落下防止バーが落下して棚の前面を封鎖するなどの機構(特許文献２、３)を備えた落下防止装置が知られている。
【０００５】
しかしながら、これらの落下防止装置は構造が複雑であり、設置するためには複数の部品が必要であるとともに、棚の大きさによって寸法や取り付け位置を変更する必要もあり、既設の棚に容易に取り付けられるものではない。
【０００６】
したがって、既設の棚にも容易に取り付けることができ、書籍等の物品の棚からの落下を効果的に防止することができる飛び出し防止具の開発が望まれる。
【先行技術文献】
【特許文献】
【０００７】
【特許文献１】特開２００１−３１４２５５号公報
【特許文献２】実開昭５５−３８９４６号公報
【特許文献３】特開２０１０−１２０８３号公報
【考案の開示】
【考案が解決しようとする課題】
【０００８】
本考案の目的は、既設の棚にも容易に取り付けることができ、書籍等の物品の棚からの落下を効果的に防止することができる飛び出し防止具を提供することにある。
【課題を解決するための手段】
【０００９】
本考案者は、物品を載置する棚板上面に棚板の前端縁に沿って設置する長尺物であって、当該長尺物の棚の奥側に面する側壁面と棚板上面に当接する底面を平面とすることにより、既設の棚に容易に取り付けることができるとともに、棚からの書籍等の物品の飛び出しを効果的に防止できることを見出し、本考案を完成するに至った。
【００１０】
すなわち本考案は、物品を載置する棚板上面に棚板の前端縁に沿って取り付ける長尺物であって、該長尺物の、棚の奥側に面する側壁面と棚板上面に当接する底面が平面であることを特徴とする物品飛び出し防止具である。
【００１１】
さらに本考案は、側壁面が、底面に対して直角であることを特徴とする物品飛び出し防止具である。
【００１２】
さらに本考案は、側壁面の高さが、７〜１０ｍｍであることを特徴とする物品飛び出し防止具である。
【００１３】
さらに本考案は、長手方向に対する垂直断面が、直角三角形状又はＬ字形状であることを特徴とする物品飛び出し防止具である。
【００１４】
さらに本考案は、片面を剥離紙で覆った両面テープを底面に貼着したことを特徴とする物品飛び出し防止具である。
【００１５】
さらに本考案は、材質が、オレフィン系樹脂、エステル系樹脂、アクリル系樹脂、アミド系樹脂、ウレタン系樹脂、フッ素系樹脂、スチレン系樹脂、カーボネート系樹脂及び塩化ビニル系樹脂よりなる群から選ばれる合成樹脂、金属、木材、又は紙であることを特徴とする物品飛び出し防止具である。
【考案の効果】
【００１６】
本考案の物品飛び出し防止具によれば、既設の棚等にも容易に取り付けることができ、書籍等の物品の棚からの落下を効果的に防止することができる。
【図面の簡単な説明】
【００１７】
【図１】物品飛び出し防止具を棚板に設置した状態を示す側面図((ａ)断面がＬ字形状の飛び出し防止具、(ｂ)断面が直角三角形状の飛び出し防止具)
【図２】物品飛び出し防止具を棚板に設置した状態を示す側面図(断面がＬ字形状の飛び出し防止具を設置したその他の実施例)
【図３】物品飛び出し防止具を設置した棚板に本を載置した状態を示す正面図
【図４】物品飛び出し防止具により棚板からの本の飛び出しを防止した状態を示す側面図(第１の状態図)
【図５】物品飛び出し防止具により棚板からの本の飛び出しを防止した状態を示す側面図(第２の状態図)
【図６】物品飛び出し防止具により棚板からの本の飛び出しを防止した状態を示す側面図(第３の状態図)
【図７】物品飛び出し防止具により棚板からの本の飛び出しを防止した状態を示す正面図(第４の状態図)
【図８】物品飛び出し防止具を斜め下方から見た斜視図((ａ)断面がＬ字形状の飛び出し防止具、(ｂ)断面が直角三角形状の飛び出し防止具)
【考案を実施するための形態】
【００１８】
以下、本考案の実施の形態を図面に基づいて説明する。本考案の物品飛び出し防止具(１)は、物品を載置する棚板上面(2a)に棚板の前端縁(2b)に沿って取り付ける長尺物であって、当該長尺物の、棚の奥側に面する側壁面(1a)と棚板上面(2a)に当接する底面(1b)が平面であることを特徴とする(図１、２)。物品飛び出し防止具(１)の側壁面(1a)を平面とすることにより、物品を出し入れする際、物品が側壁面にあたっても物品が傷つく危険性をなくし、底面(1b)を平面とすることにより、棚板上面に密着して固定しやすくしている。また、物品飛び出し防止具(１)を切断可能な長尺物とすることにより、様々な幅の棚板にも長さを調整しながら容易に取り付けることができる。
【００１９】
物品飛び出し防止具(１)は、その底面(1b)を棚上面(2a)に当接して固定するが、固定方法は特に限定されるものではなく、接着剤、釘、螺旋等を使用して固定することもできるが、物品飛び出し防止具(１)の底面(1b)と棚板(２)の上面(2a)とを両面テープにより接着すれば取り付け作業が容易となり好適である。図８に示すように、片面を剥離紙(５)で覆った両面テープ(４)を底面(1b)に貼着しておけば、使用する際に、剥離紙を取り除き、露出したテープの粘着面を棚板上面に接着することで、物品飛び出し防止具を簡単に固定することができる。
【００２０】
物品飛び出し防止具(１)の側壁面(1a)を底面(1b)に対して直角にすれば、本棚に本を載置したとき、本の背表紙が物品飛び出し防止具の側壁面と比較的広い面積で当接するため、本を傷めることなく、本棚から本が飛び出すことを防止することができる。
【００２１】
物品飛び出し防止具(１)は、図１に示すように、長手方向に対する垂直断面が、Ｌ字形状(図１(ａ))又は直角三角形状(図１(ｂ))とすることができる。このような形状にすれば、物品飛び出し防止具を連続的に押し出し成形することが可能となり、生産効率の向上を図りつつ、側壁面(1a)と底面(1b)とを平面に成形することができる。
【００２２】
物品飛び出し防止具の垂直断面をＬ字形状とした場合には、図２に示すように、側壁(1c)が棚板の前端縁(2b)の近傍に位置するように取り付けることもできる。このように物品飛び出し防止具(１)を取り付ければ、奥行き寸法が小さい本棚であっても、物品飛び出し防止具が邪魔になることなく、本を棚板上面に載置することができる。
【００２３】
物品飛び出し防止具の側壁面(1a)は、地震等の揺れが生じた場合に、本等の物品が棚から落下することを確実に防止する一方、日常の使用において、物品が出し入れしやすい高さであることが必要がある。これらのことから、物品飛び出し防止具の側壁面の高さは、７〜１０ｍｍであることが好ましい。
【００２４】
物品飛び出し防止具(１)を設置し、棚板上面(2a)に本を載置した状態を、図３(正面図)及び図４(側面図)に示す。地震等の揺れが生じると、本(３)は棚板上(2a)を移動するが、背表紙(3a)が物品飛び出し防止具(１)の棚の奥面側に配される側壁面(1a)に当接することにより本の移動を妨げ、本が本棚から飛び出すことを防止する(図４)。
【００２５】
また、図５に示すように、地震等の強い揺れにより、本(３)の背表紙(3a)の下端にある支点Ｐを中心として本が回動するような場合にも、本の上端角部が上段の棚板(２)と当接することから本の回動が制限され、本は棚板上から落下することはない。また、上段の棚板が設置されていない場合であっても、本の重心(Ｇ)が、支点Ｐの上方延長線(Ｌ)をこえるまで回動しなければ、重力による回転モーメントで本が元の位置に戻るため、本は棚板上から落下することはない。
【００２６】
さらに図６に示すように、本(３)が物品飛び出し防止具(１)を乗り越えた場合にも、側壁面(1a)の上端Ｑから上方に延びる延長線(Ｌ)よりも、本の重心(Ｇ)が本棚の奥側(図中の右側に相当)に位置すれば、上端Ｑを支点として重力による回転モーメントが作用するため、本が棚板から落下することはない。
【００２７】
図７のように、本(３)が棚板上で倒れた場合でも、本の一部が物品飛び出し防止具の側壁面(1a)に当接していれば、本の落下を防止することができる。
【００２８】
物品飛び出し防止具の材質としては、適度な強度を有し、所定の長さに切断加工することができるものであれば、特に限定されるべきものではないが、これらの条件を満たすとともに、入手しやすく加工が容易であることから、オレフィン系樹脂、エステル系樹脂、アクリル系樹脂、アミド系樹脂、ウレタン系樹脂、フッ素系樹脂、スチレン系樹脂、カーボネート系樹脂及び塩化ビニル系樹脂よりなる群から選ばれる合成樹脂、金属、木材、又は紙が好適である。金属は、腐食がなく長期に亘って美麗な外観を維持するため、アルミニウムやステンレス等を使用することが好ましく、アルミニウムは表面をアルマイト処理することが特に好ましい。また、合成樹脂は発泡成形するなどして多孔質状とし、切断し易いように加工してもよい。
【符号の説明】
【００２９】
１  物品飛び出し防止具
１ａ  側壁面
１ｂ  底面
１ｃ  側壁
２  棚板
２ａ  上面
２ｂ  前端縁
３  本
３ａ  背表紙
４  両面テープ
５  剥離紙
【図１】
0003177231.tif 000003
【図２】
0003177231.tif 000004
【図３】
0003177231.tif 000005
【図４】
0003177231.tif 000006
【図５】
0003177231.tif 000007
【図６】
0003177231.tif 000008
【図７】
0003177231.tif 000009
【図８】
0003177231.tif 000010